(57)【要約】【課題】データ送信装置が保持するデータ受信装置のＩＰアドレスを変更することなく、データの送信先を変更すること。【解決手段】データ受信装置３０Ａ，３０Ｂと、一のデータ受信装置３０Ａのホームアドレスを保持し、データを送信するデータ送信装置１０Ａと、データ送信装置１０Ａにより送信されたデータを受信し、当該受信されたデータをホームアドレスに対応付けられた気付アドレスに送信するホームエージェント２０と、を備え、複数のデータ受信装置３０Ａ，３０Ｂは、一のデータ受信装置３０Ａから他のデータ受信装置３０Ｂへの通信の引継ぎ要求があった場合、当該通信の引継ぎ要求に基づいて、当該他のデータ受信装置３０ＢのＩＰアドレスを一のデータ受信装置３０Ａの気付アドレスとしてホームエージェント２０の記憶部２２に登録させるＣＰＵ３１を備える。【選択図】図１
2009177606.tif 000002
【特許請求の範囲】
【請求項１】
データを受信する複数のデータ受信装置と、
前記複数のデータ受信装置のうちいずれか一のデータ受信装置のホームネットワークにおけるホームアドレスを保持し、前記データを送信するデータ送信装置と、
前記一のデータ受信装置の移動先のネットワークにおける気付アドレスと前記ホームアドレスとを対応付けて登録する記憶手段を有し、前記データ送信装置により送信されたデータを受信し、当該受信されたデータを前記ホームアドレスに対応付けられた気付アドレスに送信するホームエージェントと、を備え、
前記複数のデータ受信装置は、
前記一のデータ受信装置から他のデータ受信装置への通信の引継ぎ要求があった場合、当該通信の引継ぎ要求に基づいて、当該他のデータ受信装置のＩＰアドレスを前記一のデータ受信装置の気付アドレスとして前記ホームエージェントの記憶手段に登録させる制御手段を備えるデータ送受信システム。
【請求項２】
前記複数のデータ受信装置は、
情報の操作入力を受け付ける操作手段を備え、
前記制御手段は、
前記操作手段により前記通信の引継ぎ要求が受け付けられた場合、前記通信の引継ぎ要求に基づいて、当該他のデータ受信装置のＩＰアドレスを前記一のデータ受信装置の気付アドレスとして前記ホームエージェントの記憶手段に登録させる請求項１に記載のデータ送受信システム。
【請求項３】
前記複数のデータ受信装置は、
時刻を計時する計時手段を備え、
前記制御手段は、
前記計時手段により計時された時刻が所定の時刻となった場合、前記通信の引継ぎ要求に基づいて、当該他のデータ受信装置のＩＰアドレスを前記一のデータ受信装置の気付アドレスとして前記ホームエージェントの記憶手段に登録させる請求項１に記載のデータ送受信システム。
【請求項４】
前記制御手段は、
前記一のデータ受信装置から前記他のデータ受信装置へ通信の引継ぎを行う際、前記一のデータ受信装置の通信の引継ぎ先として前記他のデータ受信装置の正当性を認証する請求項１から３のいずれか一項に記載のデータ送受信システム。
【請求項５】
前記制御手段は、
前記一のデータ受信装置から前記他のデータ受信装置へ通信の引継ぎを行う際、当該通信の引継ぎに関する情報を暗号化する請求項１から４のいずれか一項に記載のデータ送受信システム。
【請求項６】
前記制御手段は、
前記各データ受信装置間の死活を監視する請求項１から５のいずれか一項に記載のデータ送受信システム。
【発明の詳細な説明】
【技術分野】
【０００１】
本発明は、データ送受信システムに関する
【背景技術】
【０００２】
従来から、データ送信装置及びデータ受信装置を備え、データの送受信を行うデータ送受信システムが知られている。例えば、データ受信装置がデータ（センサーなどから得た計測データ）をデータ送信装置から取得するデータ送受信システムが知られている。
【０００３】
しかし、当該データ送受信システムでは、データ受信装置がデータ送信装置をポーリング（データ送信装置からデータを取得）しても、ほとんどデータが変わっていない場合があった。この場合、ポーリングの間の通信時間が無駄となっていた。また、データの取得周期によっては、次の取得周期までデータの更新が待たされていた。このため、データの変化を直ちにデータ受信装置に送信する必要がある用途の場合、データ更新までの時間を待たなくてはいけないという問題があった。
【０００４】
また、当該データ送受信システムでは、データ受信装置は、データ送信装置のＩＰ（Internet Protocol）アドレスを保持（記憶）する。このとき、データ送信装置の台数が非常に多いと、データ受信装置が保持するデータ送信装置のＩＰアドレス数は非常に多くなる。そうすると、データ受信装置は、非常に多くのデータ送信装置のＩＰアドレスを保持する必要があるため、容量の大きい記憶部を備える必要があった。また、データ送信装置の台数が多くなると、データの更新周期が長くなる問題や、通信量の多くなり通信に負荷がかかるという問題があった。さらには、データ送信装置を電池駆動する場合、データ受信装置からの頻繁なデータ取得要求は、電池の消耗を早めてしまうという問題があった。
【０００５】
また、データ送受信システムにおいて、データ送信装置がＤＮＳ（Domain  Name  System）を用いることにより、データ受信装置のホスト名を保持する構成も考えられる。この構成の場合、データ送信装置は、ＤＮＳ（又はＤＤＮＳ（Dynamic DNS））を使用すれば、ホスト名からデータ受信装置のＩＰアドレスを取得することができる。また、ホスト名とＩＰアドレスとの対応関係を書き換えればデータの送信先を変更することができる。しかし、ＤＮＳ（又はＤＤＮＳ）は、新しいＩＰアドレスがすぐには反映されず、しばらくは問い合わせに古いＩＰアドレスを返す。このため、データの送信先を直ちに変更したい場合は、直ちにデータの送信先を変更することができないという問題があった。
【０００６】
上記の問題点を解消するため、データ送信装置がデータをデータ受信装置に送信し、且つ、データ送信装置がデータの送信先であるデータ受信装置のＩＰアドレスを保持する構成のデータ送受信システムが知られている。
【０００７】
図５を参照して、データ送信装置がデータをデータ受信装置に送信し、且つ、データ送信装置がデータの送信先であるデータ受信装置のＩＰアドレスを保持する構成であるデータ送受信システム１００の概略構成を説明する。データ送受信システム１００は、データ送信装置１０１Ａ〜１０１Ｎと、データ受信装置１０２Ａ，１０２Ｂと、を備えて構成される。
【０００８】
データ送信装置１０１Ａ〜１０１Ｎは、センサー（図示省略）などから得た計測データ（データ）をデータ受信部１０２のデータ受信装置１０２Ａ，１０２Ｂに送信する装置である。データ送信装置１０１Ａ〜１０１Ｎは、それぞれ同様の構成である。以下、データ送信装置１０１Ａを代表して説明する。
【０００９】
データ送信装置１０１Ａは、データの送信先としてデータ受信装置１０２Ａ，１０２ＢのＩＰアドレスを記憶部（図示省略）に保持（記憶）している。
【００１０】
データ受信装置１０２Ａ，１０２Ｂは、データ送信部１０１のデータ送信装置１０１Ａ〜１０１Ｎから送信されたデータを受信する。
【００１１】
次に、データ送受信システム１００において、データ送信装置１０１Ａ〜１０１Ｎのデータの送信先をデータ受信装置１０２Ａからデータ受信装置１０２Ｂに変更する場合の動作を説明する。
【００１２】
先ず、データ送信装置１０１Ａにおいて、操作部（図示省略）を介して、ユーザからデータの送信先を変更する指示が受け付けられる。具体的には、操作部を介して、ユーザかからデータ送信装置１０１Ａが記憶しているデータ受信装置１０２ＡのＩＰアドレスをデータ受信装置１０２ＢのＩＰアドレスに変更する指示が受け付けられる。そして、データの送信先がデータ受信装置１０２ＡのＩＰアドレスからデータ受信装置１０２ＢのＩＰアドレスに更新記憶される。そして、データがデータ送信装置１０２Ｂに送信される。以下、データ送信装置１０１Ｂ〜１０１Ｎにおいても同様の動作が行われる。これにより、データ送信装置１０１Ａ〜１０１Ｎにおいて、データの送信先がデータ受信装置１０２Ａからデータ受信装置１０２Ｂに変更される。
【００１３】
また、すでに確立しているＩＰｓｅｃセキュリティアソシエーション（ＩＰｓｅｃＳＡ）と同一のユーザ識別子に対して異なる移動ノード（ＭＮ）からのＩＰｓｅｃＳＡの生成を防止し、位置登録済みのＭＮの通信を保障することができる技術も知られている（例えば、特許文献１参照）。
【特許文献１】特開２００６−６０７４８号公報
【発明の開示】
【発明が解決しようとする課題】
【００１４】
しかしながら、上述のデータ送受信システム１００において、データ送信装置の台数が増えると、ユーザは、データ送信装置のそれぞれに対して、データ受信装置のＩＰアドレスを変更するための操作を行う必要がある。また、自動（リモート）で、データ受信装置のＩＰアドレスを変更する処理を行う場合においても、送信先の変更作業は煩雑となる。
このため、データ送信装置が保持するデータ受信装置のＩＰアドレスを変更することなく、データの転送先を変更できるデータ送受信システムを実現する要請があった。
【００１５】
本発明の課題は、データ送信装置が保持するデータ受信装置のＩＰアドレスを変更することなく、データの送信先を変更することである。
【課題を解決するための手段】
【００１６】
上記課題を解決するために、請求項１に記載の発明のデータ送受信システムは、
データを受信する複数のデータ受信装置と、
前記複数のデータ受信装置のうちいずれか一のデータ受信装置のホームネットワークにおけるホームアドレスを保持し、前記データを送信するデータ送信装置と、
前記一のデータ受信装置の移動先のネットワークにおける気付アドレスと前記ホームアドレスとを対応付けて登録する記憶手段を有し、前記データ送信装置により送信されたデータを受信し、当該受信されたデータを前記ホームアドレスに対応付けられた気付アドレスに送信するホームエージェントと、を備え、
前記複数のデータ受信装置は、
前記一のデータ受信装置から他のデータ受信装置への通信の引継ぎ要求があった場合、当該通信の引継ぎ要求に基づいて、当該他のデータ受信装置のＩＰアドレスを前記一のデータ受信装置の気付アドレスとして前記ホームエージェントの記憶手段に登録させる制御手段を備える。
【００１７】
請求項２に記載の発明は、請求項１に記載のデータ送受信システムにおいて、
前記複数のデータ受信装置は、
情報の操作入力を受け付ける操作手段を備え、
前記制御手段は、
前記操作手段により前記通信の引継ぎ要求が受け付けられた場合、前記通信の引継ぎ要求に基づいて、当該他のデータ受信装置のＩＰアドレスを前記一のデータ受信装置の気付アドレスとして前記ホームエージェントの記憶手段に登録させる。
【００１８】
請求項３に記載の発明は、請求項１に記載のデータ送受信システムにおいて、
前記複数のデータ受信装置は、
時刻を計時する計時手段を備え、
前記制御手段は、
前記計時手段により計時された時刻が所定の時刻となった場合、前記通信の引継ぎ要求に基づいて、当該他のデータ受信装置のＩＰアドレスを前記一のデータ受信装置の気付アドレスとして前記ホームエージェントの記憶手段に登録させる。
【００１９】
請求項４に記載の発明は、請求項１から３のいずれか一項に記載のデータ送受信システムにおいて、
前記制御手段は、
前記一のデータ受信装置から前記他のデータ受信装置へ通信の引継ぎを行う際、前記一のデータ受信装置の通信の引継ぎ先として前記他のデータ受信装置の正当性を認証する。
【００２０】
請求項５に記載の発明は、請求項１から４のいずれか一項に記載のデータ送受信システムにおいて、
前記制御手段は、
前記一のデータ受信装置から前記他のデータ受信装置へ通信の引継ぎを行う際、当該通信の引継ぎに関する情報を暗号化する。
【００２１】
請求項６に記載の発明は、請求項１から５のいずれか一項に記載のデータ送受信システムにおいて、  
前記制御手段は、
前記各データ受信装置間の死活を監視する。  
【発明の効果】
【００２２】
請求項１に記載の発明によれば、通信の引継ぎ要求に基づいて、他のデータ受信装置のＩＰアドレスを一のデータ受信装置の気付アドレスとしてホームエージェントの記憶手段に登録させる。これにより、データ送信装置が保持するホームアドレス（データ受信装置のＩＰアドレス）を変更することなく、データの送信先を変更することができる。
【００２３】
請求項２に記載の発明によれば、操作手段により通信の引継ぎ要求が受け付けられた場合、通信の引継ぎ要求に基づいて、他のデータ受信装置のＩＰアドレスを一のデータ受信装置の気付アドレスとしてホームエージェントの記憶手段に登録させる。これにより、ユーザは、操作手段を介して、通信の引継ぎ要求を行うことができる。
【００２４】
請求項３に記載の発明によれば、計時手段により計時された時刻が所定時刻となった場合に、通信の引継ぎ要求に基づいて、他のデータ受信装置のＩＰアドレスを一のデータ受信装置の気付アドレスとしてホームエージェントの記憶手段に登録させる。これにより、所定の時刻に通信の引継ぎ要求を行うことができるので、時間帯別にデータの送信先を切り替えることができる。
【００２５】
請求項４に記載の発明によれば、一のデータ受信装置から他のデータ受信装置へ通信の引継ぎを行う際、他のデータ受信装置の正当性を認証する。これにより、一のデータ受信装置は、信頼性のある他のデータ受信装置と通信の引継ぎを行うことができる。    
【００２６】
請求項５に記載の発明によれば、一のデータ受信装置と前記他のデータ受信装置との間で送受信される情報を暗号化する。これにより、一のデータ受信装置と他のデータ受信装置との間で送受信される情報の秘匿性を保つことができる。    
【００２７】
請求項６に記載の発明によれば、各データ受信装置間の死活を監視する。これにより、複数のデータ受信装置を備えたデータ送受信システムの冗長化を実現することができる。
【発明を実施するための最良の形態】
【００２８】
以下、添付図面を参照して本発明に係る実施の形態を詳細に説明する。ただし、発明の範囲は、図示例に限定されない。
【００２９】
図１〜図４を参照して本発明に係る実施の形態を説明する。先ず、図１を参照して本実施の形態のデータ送受信システム１の構成を説明する。データ送受信システム１は、データ送信装置１０Ａ〜１０Ｎと、ＨＡ（Home Agent）２０と、データ受信装置３０Ａ，３０Ｂと、を備えて構成される。また、本実施の形態においては、データ送信装置１０Ａ〜１０Ｎは、ＩＰｖ６（Internet Protocol Version 6）に対応しており、データ受信装置３０Ａ，３０Ｂは、ＭＩＰｖ６（Mobile IPv6）に対応しているものとする。また、データ受信装置３０Ａ，３０Ｂは、移動しながら通信を行うＭＮ（Mobile Node）（モバイルノード）機能を持つものとする。
【００３０】
データ送信装置１０Ａ〜１０Ｎは、センサー（図示省略）などから得た計測データ（データ）をデータ受信装置３０Ａ（又はデータ受信装置３０Ｂ）に送信する装置である。また、データ送信装置１０Ａ〜１０Ｎは、それぞれ、複数のデータ受信装置のうちいずれか一のデータ受信装置のＨｏＡ（Home of Address）（ホームアドレス）を記憶部（図示省略）に保持（記憶）する。ホームアドレスとは、移動ノード機能を持つデータ受信装置がもともと接続されていたネットワーク（ホームネットワーク）において、当該データ受信装置に割り当てられたアドレスのことをいう。ホームアドレスは、データ受信装置のＩＰアドレスに該当する。例えば、データ送信装置１０Ａは、データ受信装置３０Ａのホームアドレスを記憶部に保持する。
【００３１】
ＨＡ（ホームエージェント）２０は、図２に示すように、ＣＰＵ２１と、記憶手段としての記憶部２２と、通信部２３と、を備えて構成される。
【００３２】
ＣＰＵ（Central  Processing  Unit）２１は、データの送信先におけるデータ受信装置のホームアドレス及びＣｏＡ（Care of Address）（気付アドレス）を対応付けて記憶部２２に登録する。気付アドレスとは、移動ノード機能を持つデータ受信装置が移動先のネットワークに接続された場合に、移動先のネットワークから取得されたアドレス（通常使用しているＩＰアドレスとは別の新しいアドレス）のことをいう。
【００３３】
また、ＣＰＵ２１は、データ送信装置１０Ａ〜１０Ｎのそれぞれからデータを受信し、当該受信されたデータをホームアドレスに対応付けられた気付アドレス宛に送信（転送）する。例えば、ＣＰＵ２１は、データ送信装置１０Ａからデータを受信した場合、データ送信装置１０Ａの保持するホームアドレスに対応する気付アドレス（すなわち、データ受信装置３０Ａの気付アドレス）にデータを送信する。
【００３４】
記憶部２２は、ＲＯＭ（Read  Only  Memory）、ＲＡＭ（Random  Access  Memory）等（いずれも図示省略）により構成される。ＲＯＭは、情報の書き換え可能な記録媒体であって、ＣＰＵ２１により実行されるアプリケーションプログラム等を記憶する。また、ＲＡＭは、揮発性のメモリであり、実行される各種プログラムやこれら各種プログラムに係るデータ等を格納するワークエリアを有する。
【００３５】
また、ＲＡＭは、データの送信先であるデータ受信装置３０Ａ，３０Ｂのホームアドレスと気付アドレスとを対応付けて記憶する。具体的には、ＲＡＭは、データ受信装置３０Ａ，３０Ｂのホームアドレスと気付アドレスとが対応付けられた対応テーブル（図示省略）を記憶する。
【００３６】
通信部２３は、データ送信装置１０及びデータ受信装置３０と各種情報の送受信を行う。
【００３７】
データ受信装置３０Ａ，３０Ｂは、データを受信する装置である。具体的には、データ受信装置３０Ａ，３０Ｂは、ホームエージェント２０から送信されたデータを受信する。データ受信装置３０Ａ，３０Ｂは、それぞれ同様の構成である。以下、本実施の形態では、データ受信装置３０Ａが通信の引継ぎ要求を受け付け、当該通信の引継ぎ要求をデータ受信装置３０Ｂに送信するものとして説明する。
【００３８】
図３に示すように、データ受信装置３０Ａ，３０Ｂは、制御手段としてのＣＰＵ３１と、操作手段としての操作部３２と、記憶部３３と、通信部３４と、計時手段としての計時部３５と、を備えて構成される。
【００３９】
ＣＰＵ３１は、複数のデータ受信装置のうちいずれか一のデータ受信装置から他のデータ受信装置への通信の引継ぎ要求に基づいて、当該他のデータ受信装置のＩＰアドレスを一のデータ受信装置の気付アドレスとしてホームエージェント２０の記憶部２２に登録させる。例えば、一のデータ受信装置がデータ受信装置３０Ａ、他のデータ受信装置がデータ受信装置３０Ｂの場合、ＣＰＵ３１は、データ受信装置３０ＢのＩＰアドレスをデータ受信装置３０Ａの気付アドレスとしてホームエージェント２０の記憶部２２に登録させる。
ここで、通信の引継ぎ要求とは、データの送信先を変更するための要求のことをいう。具体的には、データの送信先をデータ受信装置３０Ａからデータ受信装置３０Ｂに変更するための要求のことをいう。通信の引継ぎ要求は、例えば、操作部３２を介して、ユーザからの操作指示により受け付けられる。
データ受信装置３０ＡのＣＰＵ３１は、データ受信装置３０Ａの操作部３２により通信引継ぎ要求を受け付けると、通信部３４を介して、後述する通信の引継ぎ承諾、登録指示情報、及び通信の引継ぎ成功情報をデータ受信装置３０Ｂに送信する。
ここで、通信の引継ぎ承諾とは、データの送信先を変更することを承諾する情報のことをいう。例えば、データの送信先をデータ受信装置３０Ａから３０Ｂに変更することを承諾する情報のことをいう。登録指示情報とは、データ受信装置３０ＢのＩＰアドレスをデータ受信装置３０Ａの気付アドレスとしてホームエージェント２０の記憶部２２に登録させるための指示情報のことをいう。通信の引継ぎ成功情報とは、データの送信先の変更（データ受信装置３０Ａからデータ受信装置３０Ｂへの変更）が成功したことを示す情報のことをいう。
【００４０】
データ受信装置３０ＢのＣＰＵ３１は、通信部３４を介してデータ受信装置３０Ａから登録指示情報を受信すると、データ受信装置３０ＢのＩＰアドレスをデータ受信装置３０Ａの気付アドレスとしてホームエージェント２０の記憶部２２に登録させる。すなわち、データ受信装置３０Ｂは、データ受信装置３０Ａになりすまして、ホームエージェント２０にデータ受信装置３０ＢのＩＰアドレスをデータ受信装置３０Ａの気付アドレスとして登録させる。具体的には、データ受信装置３０ＢのＣＰＵ３１は、通信部３４を介して、登録指示情報をホームエージェント２０に送信し、ホームエージェント２０にデータ受信装置３０ＢのＩＰアドレスをデータ受信装置３０Ａの気付アドレスとして登録させる。
【００４１】
操作部３２は、各種操作キーを備え、ユーザからの各種情報の操作入力を各種操作キーから受け付け、その情報をＣＰＵ３１に出力する。
【００４２】
記憶部３３は、ＲＯＭ、ＲＡＭ、ＨＤＤ等（いずれも図示省略）により構成される。ＲＯＭは、第１の通信の引継ぎ処理又は第２の通信の引継ぎ処理を記憶する。また、ＲＡＭは、自身のホームアドレス及び気付アドレスを記憶する。例えば、データ受信装置３０Ａの場合、ＲＡＭは、データ受信装置３０Ａのホームアドレス及び気付アドレスを記憶する。
【００４３】
通信部３４は、ホームエージェント２０及び通信の引継ぎ対象であるデータ受信装置と通信を行う。例えば、データ受信装置３０Ａにおいて、通信部３４は、ホームエージェント２０及びデータ受信装置３０Ｂと通信を行う。
【００４４】
計時部３５は、発振回路部（図示省略）から入力される信号を計数して、内部時刻を得る。そして当該内部時刻をＣＰＵ３１に出力する。ここで、内部時刻とは、計時部３５で計時される現在時刻のことをいう。
【００４５】
次に、図４を参照して、データ送受信システム１の動作を説明する。図４に、第１の通信の引継ぎ処理、第２の通信の引継ぎ処理、登録処理の流れを示す。
【００４６】
先ず、データ受信装置３０Ａで実行される第１の通信の引継ぎ処理を説明する。データ受信装置３０Ａにおいて、例えば、第１の通信の引継ぎ処理の実行指示が操作部３２を介して入力されたことをトリガとして、ＲＯＭから読み出されて適宜ＲＡＭに展開された第１の通信の引継ぎプログラムとＣＰＵ３１との協働で、第１の通信の引継ぎ処理が実行される。
【００４７】
予め、データ送信装置１０Ａ〜１０Ｎは、データ受信装置３０Ａにデータを送信しているものとする。
【００４８】
先ず、ユーザからの通信の引継ぎ要求の受け付けが行われる（ステップＳ１１）。具体的には、操作部３２を介して、ユーザからデータの送信先をデータ受信装置３０Ａからデータ受信装置３０Ｂに変更する通信の引継ぎ要求の受け付けが行われる。そして、通信部３４を介して、受け付けられた通信の引継ぎ要求がデータ受信装置３０Ｂに送信される（ステップＳ１２）。
【００４９】
ステップＳ１２の実行後、通信部３４を介して、データ受信装置３０Ｂから通信の引継ぎ承諾が受信される（ステップＳ１３）。そして、通信部３４を介して、登録指示情報がデータ受信装置３０Ｂに送信される（ステップＳ１４）。
【００５０】
ステップＳ１４の実行後、通信部３４を介して、データ受信装置３０Ｂから通信の引継ぎ成功情報が受信される（ステップＳ１５）。ステップＳ１４の実行後、第１の通信の引継ぎ処理は終了される。
【００５１】
次いで、データ受信装置３０Ｂで実行される第２の通信の引継ぎ処理を説明する。データ受信装置３０Ｂにおいて、例えば、通信部３４を介してデータ受信装置３０Ａから通信の引継ぎの要求を受信開始したことをトリガとして、ＲＯＭから読み出されて適宜ＲＡＭに展開された第２の通信の引継ぎプログラムとＣＰＵ３１との協働で、第２の通信の引継ぎ処理が実行される。
【００５２】
先ず、通信部３４を介して、データ受信装置３０Ａから通信の引継ぎ要求が受信される（ステップＳ２１）。そして、通信の引継ぎを行う場合は、通信部３４を介して、通信の引継ぎ承諾がデータ受信装置３０Ａに送信される（ステップＳ２２）。
【００５３】
ステップＳ２２の実行後、通信部３４を介して、データ受信装置３０Ａから登録指示情報が受信される（ステップＳ２３）。そして、通信部３４を介して、登録指示情報がホームエージェント２０に送信される（ステップＳ２４）。
【００５４】
ステップＳ２４の実行後、通信部３４を介して、通信の引継ぎ成功情報がデータ受信装置３０Ａに送信される（ステップＳ２５）。ステップＳ２５の実行後、第２の通信の引継ぎ処理は終了される。
【００５５】
次いで、ホームエージェント２０で実行される登録処理を説明する。ホームエージェント２０において、例えば、通信部２３を介してデータ受信装置３０Ｂから登録指示情報を受信開始したことをトリガとして、ＲＯＭから読み出されて適宜ＲＡＭに展開された登録プログラムとＣＰＵ２１との協働で、登録処理が実行される。
【００５６】
先ず、通信部２３を介して、データ受信装置３０Ｂから登録指示情報が受信される。そして、データ受信装置３０ＢのＩＰアドレスがデータ受信装置３０Ａの気付アドレスとして記憶部２２に登録される（ステップＳ３１）。このとき、データ受信装置３０Ａの気付アドレスと、ホームアドレスとは対応付けて登録される。ステップＳ３１の実行後、登録処理は終了される。
【００５７】
以上、本実施の形態によれば、通信の引継ぎ要求に基づいて、他のデータ受信装置（データ受信装置３０Ｂ）のＩＰアドレスを一のデータ受信装置（データ受信装置３０Ａ）の気付アドレスとしてホームエージェント２０の記憶部２２に登録させる。これにより、データ送信装置が保持するホームアドレス（すなわち、データ受信装置のＩＰアドレス）を変更することなく、データの送信先を変更することができる。したがって、例えば、データ送信装置の台数が増えた場合であっても、煩雑なデータの送信先の変更作業を要する必要がない。また、ＤＮＳ（又はＤＤＮＳ）を使用する場合と比較して、送信先の変更を直ちに反映させることができる。また、データ送受信システム１において、データ送信装置及びホームエージェント２０はＭＩＰｖ６標準のものを使用することができる。
【００５８】
また、データ受信装置３０Ａの操作部３２により通信の引継ぎ要求が受け付けられた場合、通信の引継ぎ要求に基づいて、他のデータ受信装置（データ受信装置３０Ｂ）のＩＰアドレスを一のデータ受信装置（データ受信装置３０Ａ）の気付アドレスとしてホームエージェント２０の記憶部２２に登録させる。これにより、ユーザは、操作部３２を介して、通信の引継ぎ要求を行うことができる。
【００５９】
なお、上記実施の形態における記述は、本発明に係るデータ送受信システムの一例であり、これに限定されるものではない。
【００６０】
例えば、上記実施の形態では、操作部３２を介して、ユーザからの通信の引継ぎ要求の入力を受け付けた場合に、第１の通信の引継ぎ要求処理を開始することとしたがこれに限定されるものではない。例えば、計時部３５により計時された現在時刻が所定時刻となった場合に、第１の通信の引継ぎ要求処理を開始することとしてもよい。ここで、所定時刻とは、予め定められた通信の引継ぎ要求を行う時刻のことをいう。これにより、例えば、昼間は日本で監視、夜間は米国で監視など時間帯別にデータの送信先を切り替えることができる。
【００６１】
また、データ受信装置３０Ａとデータ受信装置３０Ｂとの間で通信の引継ぎを行う際、データ受信装置３０Ａの通信の引継ぎ先としてのデータ受信装置３０Ｂの正当性を認証する構成としてもよい。具体的には、この場合、データ受信装置３０Ａ及びデータ受信装置３０Ｂは、パスワード等を共有している。そして、当該パスワード等による認証が成功すると（すなわち、データ受信装置３０Ｂの正当性が認証されると）、データ受信装置３０Ａとデータ受信装置３０Ｂとの間で通信の引継ぎが行われる。これにより、データ受信装置３０Ａは、信頼性のあるデータ受信装置３０Ｂと通信の引継ぎを行うことができる。
【００６２】
また、データ受信装置３０Ａとデータ受信装置３０Ｂとの間で通信の引継ぎを行う際、当該通信の引継ぎに関する情報（通信の引継ぎ要求、通信の引継ぎ承諾、登録指示情報、通信の引継ぎ成功情報）を暗号化する構成としてもよい。これにより、通信の引継ぎに関する情報（通信引継ぎ要求、通信の引継ぎ承諾、登録指示情報、及び通信の引継ぎ成功情報）の秘匿性を保つことができる。
【００６３】
また、各データ受信装置は、当該データ受信装置間の稼動状況（死活）を監視する構成としてもよい。具体的には、例えば、データ受信装置３０Ａがデータ受信装置３０Ｂの稼動状況を監視し、データ受信装置３０Ｂがデータ受信装置３０Ａの稼動状況を監視する構成としてもよい。これにより、データ送受信システムにおいて、複数のデータ受信装置を備えた構成であっても、互いに稼動状況を監視し合うので、送受信システムの冗長化を実現することができる。
【００６４】
また、データ送受信システム１において、データ受信装置３０Ａ，３０Ｂを備える構成としたがこれに限定されるものではない。例えば、複数のデータ受信装置を備える構成としてもよい。
【００６５】
その他、本実施の形態における、データ送受信システム１の細部構造及び詳細動作に関しても、本発明の趣旨を逸脱しない範囲で適宜変更可能である。
【図面の簡単な説明】
【００６６】
【図１】本発明に係るデータ送受信システムの概略構成を示す図である。
【図２】ホームエージェントの内部構成を示すブロック図である。
【図３】データ受信装置の内部構成を示すブロック図である。
【図４】第１の通信の引継ぎ処理、第２の通信の引継ぎ処理、登録処理を示すフローチャートである。
【図５】従来のデータ送受信システムの概略構成を示す図である。
【符号の説明】
【００６７】
１     データ送受信システム
１０Ａ〜１０Ｎ  データ送信装置
２０   ホームエージェント
２１，３１   ＣＰＵ
２２，３３    記憶部
２３，３４    通信部
３０Ａ，３０Ｂデータ受信装置
３２   操作部
３５   計時部
【図１】
2009177606.tif 000003
【図２】
2009177606.tif 000004
【図３】
2009177606.tif 000005
【図４】
2009177606.tif 000006
【図５】
2009177606.tif 000007